(57)【要約】【課題】  美術館や博物館の絵画等の展示物の防犯を、簡単な構成で、安価に可能とすることを目的とする。【解決手段】  ロックケースの下面に概略Ｕ字状のフックの基端を固着し、フックの先端に対向するロックケースにロックロッドを進退自在に設けた防犯ハンガーである。【選択図】  図８
2008036187.tif 000002
【特許請求の範囲】
【請求項１】
ロックケースの下面に概略Ｕ字状のフックの基端を固着し、フックの先端に対向するロックケースにロックロッドを進退自在に設けた防犯ハンガー。
【発明の詳細な説明】
【技術分野】
【０００１】
本発明は、ワイヤーロープを用いて絵画等の展示物を吊り下げるハンガーであって、特に防犯機能を備えた防犯ハンガーについてのものである。
【背景技術】
【０００２】
図１、図２に美術館や博物館での絵画等の展示の概要を示す。図１はその正面図、図２は左側面図である。
【０００３】
絵画等の展示物１が、壁面２の上方で天井に平行に配置したレール３にハンガー４により吊り下げられている。
【０００４】
美術館や博物館の絵画等の展示物１は、世間において有名で、高価であるためか、よく盗難にあう。
【特許文献１】特開平１１−１２０４５０号公報
【発明の開示】
【発明が解決しようとする課題】
【０００５】
美術館や博物館の絵画等の展示物の防犯を、簡単な構成で、安価に可能とすることが求められている。
【課題を解決するための手段】
【０００６】
そこで、本発明は、美術館や博物館の絵画等の展示物の防犯を、簡単な構成で、安価に可能とすべく、ロックケースの下面に概略Ｕ字状のフックの基端を固着し、フックの先端に対向するロックケースにロックロッドを進退自在に設けた防犯ハンガーとした。
【発明の効果】
【０００７】
本発明は、上述のように、ロックケースの下面に概略Ｕ字状のフックの基端を固着し、フックの先端に対向するロックケースにロックロッドを進退自在に設けた防犯ハンガーであるので、美術館や博物館の絵画等の展示物を防犯を、簡単な構成で、安価に可能とすることができる。
【発明を実施するための最良の形態】
【０００８】
添付する図面に示す本発明の具体的実施例に基づいて、以下詳細に説明する。
【０００９】
まず、ロックケースにワイヤーロープを挿通させ、ワイヤーグリップ機構を有し、フックを備えたハンガーにおいて、フックに物品を吊り下げた後ワイヤーロープに対するロックケースの高さ方向の位置を調整可能とし、調整高さ量を表示するスケールを備えたハンガーについて、図３にロックケースの高さ方向の位置を調整可能とし、調整高さ量を表示するスケールを備えたハンガーの要部の断面図、図４に図３のIV−IV断面図、図５に分解斜視図を示す。
【００１０】
ロックケース内１１に収容される、ワイヤーロープ１２を挿通させるワイヤー保持部材１３と、ワイヤー保持部材１３の下部に外嵌まりしワイヤー保持部材１３とでワイヤーグリップ機構を有する筒状体のワイヤーグリップ１４と、ワイヤーグリップ１４に上部を螺着する調整軸部材１５と、ロックケース１１の下部に刻設した窓孔１６内に位置して前記調整軸部材１５と螺合する調整ダイヤル１７と、ワイヤー保持部材１３下端と調整軸部材１５上端との間に縮設したコイルスプリング１８とよりなり、調整ダイヤル１７を回動させることによりワイヤーロープ１２に対するロックケース１１の高さ位置を調整し、ロックケース１１の中央部側壁にスケール孔１９を刻設し、スケール孔１９の縁面に目盛り３０を付し、調整軸部材１５上部から突設し調整軸部材１５の中間部を貫通したストッパーピン２０を前記スケール孔１９に挿入させてロックケース１１の高さ位置の調整量が分かるようにしたハンガーであるので、ワイヤーロープ１２を用いて物品を吊り下げ、その後その高さに位置を容易に調整することができる。
【００１１】
ロックケース１１は立方体で、ワイヤー保持部材１３、ワイヤーグリップ１４、調整軸部材１５、調整ダイヤル１７、ストッパーピン２０が収容されている。
【００１２】
ワイヤーロープ１２は上端はレール３に展示物用フック等を介して取付けられ、ワイヤー保持部材１３、調整軸部材１５を挿通させてロックケース１１下端より延出させる。展示物１を吊り下げた後、展示物１には歪みがあって高さの調整が必要な場合、このワイヤーロープ１２に対して展示物１の高さ位置の調整を可能とするものである。
【００１３】
ワイヤー保持部材１３は上部軸部にネジ山２１が刻設してあって、下部は末広がり状のテーパー面２２に形成し、中心軸の軸線方向にワイヤーロープ１２の挿通孔２３が穿設してある。
【００１４】
ワイヤーグリップ１４は、筒状体で、前記ワイヤー保持部材１３の下部に外嵌まり可能なるようにテーパー面２４に形成してある。
【００１５】
ワイヤー保持部材１３とワイヤーグリップ１４との間にはワイヤーグリップ機構が設けてある。
【００１６】
ボール２６の装着部は図３の断面IV−IVの表示部で、図４にその断面が示されている。      
【００１７】
テーパー面２２を三等配した位置に凹部２７を刻設する。この凹部２７にボール２６を載置して挿通孔２３内に位置するワイヤーロープ１２に当接させると共にテーパー面２２からボール２６の一部を突出させる。
【００１８】
ワイヤーグリップ１４はワイヤー保持部材１３下部に外嵌めし、そのテーパー面２４で前記ボール２６を押圧させる。ワイヤーロープ１２を上方へ引き抜こうとする時は、コイルスプリング１８によりワイヤー保持部材１３が上方に向けて付勢され、ボール２６はテーパー面２４により内方に移動し、ワイヤーロープ１２に食い込み移動を阻止する。一方、ワイヤーロープ１２を下方へ向けて押し込むと、ワイヤー保持部材１３・ボール２６はコイルスプリング１８の付勢力に抗して容易に下方へ移動し、ワイヤーロープ１２を容易に下方へ向けて押し込める。下方への押し込めを中止するとコイルスプリング１８の付勢力によりワイヤー保持部材１３・ボール２６は上方移動し、ワイヤー保持部材１３とワイヤーグリップ１４はボール２６により一体化される。
【００１９】
調整軸部材１５は下部は円柱棒状体で、上部は開口筒状体でその上部内周面にはネジ山が刻設してあって、前記ワイヤーグリップ１４の外周と螺合させる。ロックケース１１下部の窓孔１６には円板状で外周には回転用のローレットを刻設した調整ダイヤル１７を位置させ、前記調整軸部材１５と螺合させる。
【００２０】
ロックケース１１の中央部側壁に長孔状のスケール孔１９を刻設し、調整軸部材１５から突設し調整軸部材１５の中間部を貫通したストッパーピン２０を突出させ、このストッパーピン２０をスケール孔１９に挿入させる。
【００２１】
調整ダイヤル１７を右回りに回転させると、調整軸部材１５は右ネジであるので下方へ移動し、調整ダイヤル１７を左回りに回転させると、調整軸部材１５は上方へ移動し、レール３から吊り下げられたワイヤーロープ１２に対してロックケース１１の高さ位置を調整し、ロックケース１１に螺着固定されたフック２９に吊り下げられた展示物１の高さを調整する。
【００２２】
ワイヤーロープ１２をロックケース１１から下方へ引き抜き、その状態を固定するにはワイヤー保持部材１３の上部に固定キャップ３１を螺締する。固定キャップ３１で螺締する際は、展示物１のレール３からおおよそワイヤーロープ１２の長さ（約１ｍｍの長さの範囲内ぐらい）を決定して行う。
【００２３】
調整ダイヤル１７を右回りに回転させると軸調整部材１５は、ストッパーピン２０がスケール孔１９に案内され、下方に向けて移動し、ロックケース１１・フック２９は上方へ移動し、展示物１は上方へ移動する。調整ダイヤル１７を左回りに回転させると、軸調整部材１５は上方に向けて移動し、ロックケース１１・フック２９は下方へ移動し、展示物１は下方へ移動する。
【００２４】
スケール孔１９の縁面には、ストッパーピン２０の位置で調整量が分かるように目盛り３０を付しておく。絵画等の展示物１の調整量は１５ｍｍ程度が好ましい。固定キャップ３１でワイヤーロープ１２の長さを決定しておき、微調整を調整ダイヤル１７で行う。
【００２５】
ゲートピン３２は針金製で概略Ｖ字状に形成され、ロックケース１１の下部に回動自在に取付けられ、フック２９で展示物１のワイヤー等が外れるのを防止する機能を有する。      
【００２６】
本発明は、ロックケースにワイヤーロープを挿通させ、ワイヤーグリップ機構を有し、フックを備えたハンガーにおいて、フックに物品を吊り下げた後ワイヤーロープに対するロックケースの高さ方向の位置を調整可能とし、調整高さ量を表示するスケールを備えたハンガーのみならず、一般的なハンガーにも適用できるものであるが、ここでは、ロックケースにワイヤーロープを挿通させ、ワイヤーグリップ機構を有し、フックを備えたハンガーにおいて、フックに物品を吊り下げた後ワイヤーロープに対するロックケースの高さ方向の位置を調整可能とし、調整高さ量を表示するスケールを備えたハンガーに適用した例について述べる。
【００２７】
図６に示すよう、ロックケース１１の下面に概略Ｕ字状のフック２９の基端を固着する。フック２９の先端３５に対向するロックケース１１にロックロッド３６を進退自在に設ける。
【００２８】
このハンガーで展示物１を吊り下げると、展示物１からのワイヤー３７等がフック１９に引っ掛けられる。その際は、盗難を防止するためロックロッド３６をフック２９の先端３５に進出させ、先端３５に当接させワイヤー３７等はフック２９から外れないようにして展示物１の盗難を防止する。
【００２９】
図６の左図は、断面斜視図で、展示物１をワイヤー３７等で吊り下げ、ロックロッド３６を下方へ移動させ、フック２９の先端３５に当接させてロックさせて展示物１のワイヤー３７等はフック２９から容易に外れないので防犯の機能を果たす。
【００３０】
図６の右図は、断面斜視図で、ロックロッド３６は上方へ移動し、フック２９の先端３５から離れて、展示物１のワイヤー３７等は外され、解錠状態である。符号３１は固定キャップである。
【００３１】
図７の左図は、外観斜視図で、フック２９にロックロッド３６で施錠した状態で、図７の右図は、外観斜視図で、解錠した状態である。
【００３２】
図８に本発明のロックロッド３６とフック２９部の断面模式図を示す。
【００３３】
ロックケース１１下端にフック２９の基端を螺着固定し、フック２９の先端３５に対向する箇所にロックロッド３６を進退自在に設ける。
【００３４】
ロックロッド３６の上部にはネジ山を刻設したネジ軸部３７を形成し、ネジ軸部３７の上端にはロックロッド３６を進退させる六角穴３８を凹設する。この六角穴３８に六角棒材の先端を挿入して回転させてロックロッド３６を進退させる。六角穴３８に替えて（−）状あるいは（＋）状のドライバー溝を刻設してドライバーを用いてロックロッド３６を進退させることもできる。
【００３５】
本発明は、美術館や博物館の絵画等の展示物の防犯を、簡単な構成で、安価に可能とする。
【実施例１】
【００３６】
ロックスケールの大きさは２１．５ｍｍ×５５ｍｍ×１５ｍｍで、ワイヤーロープ直径１．５ｍｍ、調整最小高さ８７ｍｍ、調整最大高さ１０２ｍｍ、調整量１５ｍｍである。
【産業上の利用可能性】
【００３７】
本発明は、主に美術館や博物館の展示物の防犯用ハンガーに用いているが、産業用のワイヤーロープで吊り下げる支持具の防犯用に応用することができる。
【図面の簡単な説明】
【００３８】
【図１】美術館や博物館での絵画等の展示の概要を示し、その正面図である。
【図２】図１の左側面図である。
【図３】要部の断面図である。
【図４】図３のIV−IV断面図である。
【図５】図３の分解斜視図である。
【図６】図６の左図は、断面斜視図で、展示物をワイヤー等で吊り下げ、ロックロッドを下方へ移動させ、フックの先端に当接させてロックさせて展示物のワイヤー等はフックから容易に外れないので防犯の機能を果たす。図６の右図は、断面斜視図で、ロックロッドは上方へ移動し、フックの先端から離れて、展示物のワイヤー等は外され、解錠状態である。
【図７】図７の左図は、外観斜視図で、フックにロックロッドで施錠した状態で、図７の右図は、外観斜視図で、解錠した状態である。
【図８】図８に本発明のロックロッドとフック部の断面模式図を示す。
【符号の説明】
【００３９】
１１…ロックケース
３６…ロックロッド
３５…先端
【図１】
2008036187.tif 000003
【図２】
2008036187.tif 000004
【図３】
2008036187.tif 000005
【図４】
2008036187.tif 000006
【図５】
2008036187.tif 000007
【図６】
2008036187.tif 000008
【図７】
2008036187.tif 000009
【図８】
2008036187.tif 000010